(57)【要約】  本発明の実施例は測定ギャップの設定方法、装置、設備、端末及びシステムを提供し、通信分野に関し、該方法は端末と同時に接続を確立する少なくとも２つのアクセスネットワーク機器のうちの第１アクセスネットワーク機器に適用され、該方法は、第１アクセスネットワーク機器が少なくとも２つのアクセスネットワーク機器のうちの設定機器である場合、測定ギャップ設定情報を生成し、該設定機器が該少なくとも２つのアクセスネットワーク機器のうちの該端末に測定ギャップを設定する一部の機器であることと、該第１アクセスネットワーク機器が該端末へ該測定ギャップ設定情報を送信することと、を含む。端末が少なくとも２つのアクセスネットワーク機器と同時に接続を確立する場合、端末が同時に接続する少なくとも２つのアクセスネットワーク機器のうちの一部の機器に設定された測定ギャップに基づいて測定すればよく、端末が頻繁にデータ伝送を中断して他の周波数点に切り替えて信号測定を行うことを避け、端末のデータ送受信効率を向上させる。
2020528678.tif 000002
【特許請求の範囲】
【請求項１】
測定ギャップの設定方法であって、少なくとも２つのアクセスネットワーク機器のうちの第１アクセスネットワーク機器に適用され、前記少なくとも２つのアクセスネットワーク機器が端末と同時に接続を確立し、前記方法は、
前記第１アクセスネットワーク機器が前記少なくとも２つのアクセスネットワーク機器のうちの設定機器である場合、前記第１アクセスネットワーク機器が測定ギャップ設定情報を生成し、前記設定機器が、前記少なくとも２つのアクセスネットワーク機器のうちの前記端末に測定ギャップを設定する一部の機器であり、前記測定ギャップが、前記端末が現在の動作周波数点以外の他の周波数点において信号測定を行う時間帯を示すことに用いられることと、
前記第１アクセスネットワーク機器が、前記端末へ前記測定ギャップ設定情報を送信することと、を含むことを特徴とする、前記測定ギャップの設定方法。
【請求項２】
前記方法は、更に、
前記第１アクセスネットワーク機器が、前記少なくとも２つのアクセスネットワーク機器のうちの前記第１アクセスネットワーク機器以外の他の装置とネットワーク交渉を行うことにより、前記第１アクセスネットワーク機器が前記設定機器であるかどうかを確定することを含むことを特徴とする
請求項１に記載の方法。
【請求項３】
前記第１アクセスネットワーク機器が、前記少なくとも２つのアクセスネットワーク機器のうちの前記第１アクセスネットワーク機器以外の他の装置とネットワーク交渉を行うことにより、前記第１アクセスネットワーク機器が前記設定機器であるかどうかを確定することは、
前記第１アクセスネットワーク機器が前記他の装置から送信された設定交渉情報を受信することであって、前記設定交渉情報が、前記端末に測定ギャップを設定するアクセスポイント装置を交渉確定することに用いられることと、
前記第１アクセスネットワーク機器が、前記設定交渉情報に基づき、前記第１アクセスネットワーク機器が前記設定機器であるかどうかを確定することと、を含むことを特徴とする
請求項２に記載の方法。
【請求項４】
前記設定交渉情報には、前記他の装置に対応する前記端末の設定対象測定ギャップの周波数点が含まれることを特徴とする
請求項３に記載の方法。
【請求項５】
前記設定交渉情報には更に設定指示が含まれ、前記設定指示が前記他の装置が、前記端末に測定ギャップを設定することを決定したかどうかを示すことに用いられることを特徴とする
請求項３に記載の方法。
【請求項６】
前記方法は、更に、
前記第１アクセスネットワーク機器が、所定のプロトコルに従って、前記第１アクセスネットワーク機器が前記設定機器であるかどうかを確定することを含むことを特徴とする
請求項１に記載の方法。
【請求項７】
前記第１アクセスネットワーク機器が測定ギャップ設定情報を生成することは、
第１所定の条件が満たされる場合、前記第１アクセスネットワーク機器が前記測定ギャップ設定情報を生成することを含み、
前記第１所定の条件が、
前記第１アクセスネットワーク機器に対応する前記端末の設定対象測定ギャップの周波数点及び前記他の装置に対応する前記端末の設定対象測定ギャップの周波数点が同じ周波数点であって、前記周波数点が前記第１アクセスネットワーク機器及び前記他の装置のサービス周波数点に属さず、
又は、前記第１アクセスネットワーク機器に対応する前記端末の設定対象測定ギャップの周波数点及び前記他の装置に対応する前記端末の設定対象測定ギャップの周波数点が、異なる周波数点であり、前記第１アクセスネットワーク機器に対応する前記端末の設定対象測定ギャップの周波数点及び前記他の装置に対応する前記端末の設定対象測定ギャップの周波数点が、前記第１アクセスネットワーク機器及び前記他の装置のサービス周波数点に属さず、且つ前記第１アクセスネットワーク機器に対応する前記端末の設定対象測定ギャップの周波数点が、前記他の装置に対応する前記端末の設定対象測定ギャップの周波数点とともに、前記第１アクセスネットワーク機器又は前記他の装置に対応する通信システムに属し、
又は、前記第１アクセスネットワーク機器に対応する前記端末の設定対象測定ギャップの周波数点及び前記他の装置に対応する前記端末の設定対象測定ギャップの周波数点が、異なる周波数点であり、前記第１アクセスネットワーク機器に対応する前記端末の設定対象測定ギャップの周波数点及び前記他の装置に対応する前記端末の設定対象測定ギャップの周波数点が、前記第１アクセスネットワーク機器及び前記他の装置のサービス周波数点に属さず、且つ前記第１アクセスネットワーク機器に対応する前記端末の設定対象測定ギャップの周波数点及び前記他の装置に対応する前記端末の設定対象測定ギャップの周波数点がそれぞれ前記第１アクセスネットワーク機器及び前記他の装置に対応する通信システムと異なるシステムに属することを含むことを特徴とする
請求項１に記載の方法。
【請求項８】
前記方法は、更に、
第２所定の条件が満たされる場合、前記第１アクセスネットワーク機器が前記測定ギャップ設定情報を生成しないことを確定することを含み、
前記第２所定の条件が、
前記他の装置に対応する前記端末の設定対象測定ギャップの周波数点が前記第１アクセスネットワーク機器のサービス周波数点であること、
又は、
前記第１アクセスネットワーク機器に対応する前記端末の設定対象測定ギャップの周波数点が前記他の装置のサービス周波数点であることを含むことを特徴とする
請求項１に記載の方法。
【請求項９】
前記測定ギャップ設定情報は、
測定周波数点、測定周期、及び前記端末が前記他の周波数点において信号測定を行う時間帯の前記測定周期における時間領域位置を含むことを特徴とする
請求項１に記載の方法。
【請求項１０】
前記少なくとも２つのアクセスネットワーク機器がそれぞれ異なる通信システムに属し、
又は、
前記少なくとも２つのアクセスネットワーク機器が同じ通信システムに属することを特徴とする
請求項１〜９のいずれか１項に記載の方法。
【請求項１１】
測定ギャップの設定方法であって、
端末が、少なくとも２つのアクセスネットワーク機器のうちの全部又は一部の機器がそれぞれ送信した測定ギャップ設定情報を受信し、前記少なくとも２つのアクセスネットワーク機器が前記端末と同時に接続を確立し、前記測定ギャップ設定情報が前記端末の測定ギャップを設定することに用いられ、前記測定ギャップが、前記端末が現在の動作周波数点以外の他の周波数点において信号測定を行う時間帯を示すことに用いられることと、
前記端末が、前記少なくとも２つのアクセスネットワーク機器がそれぞれ送信した測定ギャップ設定情報から、保持する測定ギャップ設定情報を確定することと、を含むことを特徴とする、前記測定ギャップの設定方法。
【請求項１２】
前記方法は、更に、
前記端末が、前記保持する測定ギャップ設定情報に基づき、現在の動作周波数点以外の他の周波数点において信号測定を行うことを含むことを特徴とする
請求項１１に記載の方法。
【請求項１３】
前記端末が、前記少なくとも２つのアクセスネットワーク機器がそれぞれ送信した測定ギャップ設定情報から、保持する測定ギャップ設定情報を確定することは、
前記端末が、前記少なくとも２つのアクセスネットワーク機器のうちのプライマリー接続装置により送信された測定ギャップ設定情報を前記保持する測定ギャップ設定情報として確定し、
又は、
前記端末が、前記少なくとも２つのアクセスネットワーク機器のうちの前記端末に測定ギャップを設定する回数の最も多いアクセスネットワーク機器により送信された測定ギャップ設定情報を前記保持する測定ギャップ設定情報として確定することを含むことを特徴とする
請求項１１に記載の方法。
【請求項１４】
前記測定ギャップ設定情報は、
測定周波数点、測定周期、及び前記端末が前記他の周波数点において信号測定を行う時間帯の前記測定周期における時間領域位置を含むことを特徴とする
請求項１１〜１３のいずれか１項に記載の方法。
【請求項１５】
前記少なくとも２つのアクセスネットワーク機器がそれぞれ異なる通信システムに属し、
又は、
前記少なくとも２つのアクセスネットワーク機器が同じ通信システムに属することを特徴とする
請求項１１〜１３のいずれか１項に記載の方法。
【請求項１６】
測定ギャップの設定機器であって、
少なくとも２つのアクセスネットワーク機器のうちの第１アクセスネットワーク機器に適用され、前記少なくとも２つのアクセスネットワーク機器が端末と同時に接続を確立し、前記装置は、
前記第１アクセスネットワーク機器が前記少なくとも２つのアクセスネットワーク機器のうちの設定機器である場合、測定ギャップ設定情報を生成するように構成され、前記設定機器が、前記少なくとも２つのアクセスネットワーク機器のうちの前記端末に測定ギャップを設定する一部の機器であり、前記測定ギャップが、前記端末が現在の動作周波数点以外の他の周波数点において信号測定を行う時間帯を示すことに用いられる生成ユニットと、
前記端末へ前記測定ギャップ設定情報を送信するように構成される送信ユニットと、を備えることを特徴とする、前記測定ギャップの設定機器。
【請求項１７】
前記装置は、更に、
前記少なくとも２つのアクセスネットワーク機器のうちの前記第１アクセスネットワーク機器以外の他の装置とネットワーク交渉を行うことにより、前記第１アクセスネットワーク機器が前記設定機器であるかどうかを確定するように構成される交渉ユニットを備えることを特徴とする
請求項１６に記載の装置。
【請求項１８】
前記交渉ユニットは、具体的に、前記他の装置から送信された設定交渉情報を受信し、前記設定交渉情報に基づいて前記第１アクセスネットワーク機器が前記設定機器であるかどうかを確定するように構成され、前記設定交渉情報が、前記端末に測定ギャップを設定するアクセスポイント装置を交渉確定することに用いられることを特徴とする
請求項１７に記載の装置。
【請求項１９】
前記設定交渉情報には、前記他の装置に対応する前記端末の設定対象測定ギャップの周波数点が含まれることを特徴とする
請求項１８に記載の装置。
【請求項２０】
前記設定交渉情報には更に設定指示が含まれ、前記設定指示が前記他の装置が、前記端末に測定ギャップを設定することを決定したかどうかを示すことに用いられることを特徴とする
請求項１８に記載の装置。
【請求項２１】
前記装置は、更に、
所定のプロトコルに従って、前記第１アクセスネットワーク機器が前記設定機器であるかどうかを確定するように構成される第１確定ユニットを備えることを特徴とする
請求項１６に記載の装置。
【請求項２２】
前記生成ユニットは、具体的に、
第１所定の条件が満たされる場合、前記測定ギャップ設定情報を生成するように構成され、
前記第１所定の条件が、
前記第１アクセスネットワーク機器に対応する前記端末の設定対象測定ギャップの周波数点及び前記他の装置に対応する前記端末の設定対象測定ギャップの周波数点が同じ周波数点であって、前記周波数点が前記第１アクセスネットワーク機器及び前記他の装置のサービス周波数点に属さず、
又は、前記第１アクセスネットワーク機器に対応する前記端末の設定対象測定ギャップの周波数点及び前記他の装置に対応する前記端末の設定対象測定ギャップの周波数点が、異なる周波数点であり、前記第１アクセスネットワーク機器に対応する前記端末の設定対象測定ギャップの周波数点及び前記他の装置に対応する前記端末の設定対象測定ギャップの周波数点が、前記第１アクセスネットワーク機器及び前記他の装置のサービス周波数点に属さず、且つ前記第１アクセスネットワーク機器に対応する前記端末の設定対象測定ギャップの周波数点が、前記他の装置に対応する前記端末の設定対象測定ギャップの周波数点とともに、前記第１アクセスネットワーク機器又は前記他の装置に対応する通信システムに属し、
又は、前記第１アクセスネットワーク機器に対応する前記端末の設定対象測定ギャップの周波数点及び前記他の装置に対応する前記端末の設定対象測定ギャップの周波数点が、異なる周波数点であり、前記第１アクセスネットワーク機器に対応する前記端末の設定対象測定ギャップの周波数点及び前記他の装置に対応する前記端末の設定対象測定ギャップの周波数点が、前記第１アクセスネットワーク機器及び前記他の装置のサービス周波数点に属さず、且つ前記第１アクセスネットワーク機器に対応する前記端末の設定対象測定ギャップの周波数点及び前記他の装置に対応する前記端末の設定対象測定ギャップの周波数点がそれぞれ前記第１アクセスネットワーク機器及び前記他の装置に対応する通信システムと異なるシステムに属することを含むことを特徴とする
請求項１６に記載の装置。
【請求項２３】
前記装置は、更に、
第２所定の条件が満たされる場合、前記測定ギャップ設定情報を生成しないことを確定するように構成される第２確定ユニットを備え、
前記第２所定の条件が、
前記他の装置に対応する前記端末の設定対象測定ギャップの周波数点が前記第１アクセスネットワーク機器のサービス周波数点であること、
又は、
前記第１アクセスネットワーク機器に対応する前記端末の設定対象測定ギャップの周波数点が前記他の装置のサービス周波数点であることを含むことを特徴とする
請求項１６に記載の装置。
【請求項２４】
前記測定ギャップ設定情報は、
測定周波数点、測定周期、及び前記端末が前記他の周波数点において信号測定を行う時間帯の前記測定周期における時間領域位置を含むことを特徴とする
請求項１６に記載の装置。
【請求項２５】
前記少なくとも２つのアクセスネットワーク機器がそれぞれ異なる通信システムに属し、
又は、
前記少なくとも２つのアクセスネットワーク機器が同じ通信システムに属することを特徴とする
請求項１６〜２４のいずれか１項に記載の装置。
【請求項２６】
測定ギャップの設定機器であって、
少なくとも２つのアクセスネットワーク機器のうちの全部又は一部の機器がそれぞれ送信した測定ギャップ設定情報を受信するように構成され、前記少なくとも２つのアクセスネットワーク機器が前記端末と同時に接続を確立し、前記測定ギャップ設定情報が前記端末の測定ギャップを設定することに用いられ、前記測定ギャップが、前記端末が現在の動作周波数点以外の他の周波数点において信号測定を行う時間帯を示すことに用いられる受信ユニットと、
前記少なくとも２つのアクセスネットワーク機器がそれぞれ送信した測定ギャップ設定情報から、保持する測定ギャップ設定情報を確定するように構成される確定ユニットと、を備えることを特徴とする、前記測定ギャップの設定機器。
【請求項２７】
前記装置は、更に、
前記保持する測定ギャップ設定情報に基づき、現在の動作周波数点以外の他の周波数点において信号測定を行うように構成される測定ユニットを備えることを特徴とする
請求項２６に記載の装置。
【請求項２８】
前記確定ユニットは、具体的に、
前記少なくとも２つのアクセスネットワーク機器のうちのプライマリー接続装置により送信された測定ギャップ設定情報を前記保持する測定ギャップ設定情報として確定し、
又は、
前記少なくとも２つのアクセスネットワーク機器のうちの前記端末に測定ギャップを設定する回数の最も多いアクセスネットワーク機器により送信された測定ギャップ設定情報を前記保持する測定ギャップ設定情報として確定するように構成されることを特徴とする
請求項２６に記載の装置。
【請求項２９】
前記測定ギャップ設定情報は、
測定周波数点、測定周期、及び前記端末が前記他の周波数点において信号測定を行う時間帯の前記測定周期における時間領域位置を含むことを特徴とする
請求項２６〜２８のいずれか１項に記載の装置。
【請求項３０】
前記少なくとも２つのアクセスネットワーク機器がそれぞれ異なる通信システムに属し、
又は、
前記少なくとも２つのアクセスネットワーク機器が同じ通信システムに属することを特徴とする
請求項２６〜２８のいずれか１項に記載の装置。
【請求項３１】
アクセスネットワーク機器であって、
前記アクセスネットワーク機器が少なくとも２つのアクセスネットワーク機器のうちの第１アクセスネットワーク機器であり、前記少なくとも２つのアクセスネットワーク機器が端末と同時に接続を確立し、前記アクセスネットワーク機器はプロセッサ及び送受信機を備え、
前記プロセッサは、前記第１アクセスネットワーク機器が前記少なくとも２つのアクセスネットワーク機器のうちの設定機器である場合、測定ギャップ設定情報を生成するように構成され、前記設定機器が、前記少なくとも２つのアクセスネットワーク機器のうちの前記端末に測定ギャップを設定する一部の機器であり、前記測定ギャップが、前記端末が現在の動作周波数点以外の他の周波数点において信号測定を行う時間帯を示すことに用いられ、
前記プロセッサは、前記端末へ前記測定ギャップ設定情報を送信するように前記送受信機を制御するように構成されることを特徴とする、前記アクセスネットワーク機器。
【請求項３２】
前記プロセッサは、更に、前記少なくとも２つのアクセスネットワーク機器のうちの前記第１アクセスネットワーク機器以外の他の装置とネットワーク交渉を行うことにより、前記第１アクセスネットワーク機器が前記設定機器であるかどうかを確定するように前記送受信機を制御するように構成されることを特徴とする
請求項３１に記載のアクセスネットワーク機器。
【請求項３３】
前記少なくとも２つのアクセスネットワーク機器のうちの前記第１アクセスネットワーク機器以外の他の装置とネットワーク交渉を行うことにより、前記第１アクセスネットワーク機器が前記設定機器であるかどうかを確定するとき、
前記プロセッサは、具体的に、前記他の装置から送信された設定交渉情報を受信し、前記設定交渉情報に基づいて前記第１アクセスネットワーク機器が前記設定機器であるかどうかを確定するように前記送受信機を制御するように構成され、前記設定交渉情報が、前記端末に測定ギャップを設定するアクセスポイント装置を交渉確定することに用いられることを特徴とする
請求項３２に記載のアクセスネットワーク機器。
【請求項３４】
前記設定交渉情報には、前記他の装置に対応する前記端末の設定対象測定ギャップの周波数点が含まれることを特徴とする
請求項３３に記載のアクセスネットワーク機器。
【請求項３５】
前記設定交渉情報には更に設定指示が含まれ、前記設定指示が前記他の装置が、前記端末に測定ギャップを設定することを決定したかどうかを示すことに用いられることを特徴とする
請求項３３に記載のアクセスネットワーク機器。
【請求項３６】
前記プロセッサは、更に、所定のプロトコルに従って前記第１アクセスネットワーク機器が前記設定機器であるかどうかを確定することに用いられることを特徴とする
請求項３１に記載のアクセスネットワーク機器。
【請求項３７】
測定ギャップ設定情報を生成するとき、前記プロセッサは、具体的に、
第１所定の条件が満たされる場合、前記測定ギャップ設定情報を生成するように構成され、
前記第１所定の条件が、
前記第１アクセスネットワーク機器に対応する前記端末の設定対象測定ギャップの周波数点及び前記他の装置に対応する前記端末の設定対象測定ギャップの周波数点が同じ周波数点であって、前記周波数点が前記第１アクセスネットワーク機器及び前記他の装置のサービス周波数点に属さず、
又は、前記第１アクセスネットワーク機器に対応する前記端末の設定対象測定ギャップの周波数点及び前記他の装置に対応する前記端末の設定対象測定ギャップの周波数点が、異なる周波数点であり、前記第１アクセスネットワーク機器に対応する前記端末の設定対象測定ギャップの周波数点及び前記他の装置に対応する前記端末の設定対象測定ギャップの周波数点が、前記第１アクセスネットワーク機器及び前記他の装置のサービス周波数点に属さず、且つ前記第１アクセスネットワーク機器に対応する前記端末の設定対象測定ギャップの周波数点が、前記他の装置に対応する前記端末の設定対象測定ギャップの周波数点とともに、前記第１アクセスネットワーク機器又は前記他の装置に対応する通信システムに属し、
又は、前記第１アクセスネットワーク機器に対応する前記端末の設定対象測定ギャップの周波数点及び前記他の装置に対応する前記端末の設定対象測定ギャップの周波数点が、異なる周波数点であり、前記第１アクセスネットワーク機器に対応する前記端末の設定対象測定ギャップの周波数点及び前記他の装置に対応する前記端末の設定対象測定ギャップの周波数点が、前記第１アクセスネットワーク機器及び前記他の装置のサービス周波数点に属さず、且つ前記第１アクセスネットワーク機器に対応する前記端末の設定対象測定ギャップの周波数点及び前記他の装置に対応する前記端末の設定対象測定ギャップの周波数点がそれぞれ前記第１アクセスネットワーク機器及び前記他の装置に対応する通信システムと異なるシステムに属することを含むことを特徴とする
請求項３１に記載のアクセスネットワーク機器。
【請求項３８】
前記プロセッサは、更に、
第２所定の条件が満たされる場合、前記測定ギャップ設定情報を生成しないことを確定するように構成され、
前記第２所定の条件が、
前記他の装置に対応する前記端末の設定対象測定ギャップの周波数点が前記第１アクセスネットワーク機器のサービス周波数点であること、
又は、
前記第１アクセスネットワーク機器に対応する前記端末の設定対象測定ギャップの周波数点が前記他の装置のサービス周波数点であることを含むことを特徴とする
請求項３１に記載のアクセスネットワーク機器。
【請求項３９】
前記測定ギャップ設定情報は、
測定周波数点、測定周期、及び前記端末が前記他の周波数点において信号測定を行う時間帯の前記測定周期における時間領域位置を含むことを特徴とする
請求項３１に記載のアクセスネットワーク機器。
【請求項４０】
前記少なくとも２つのアクセスネットワーク機器がそれぞれ異なる通信システムに属し、
又は、
前記少なくとも２つのアクセスネットワーク機器が同じ通信システムに属することを特徴とする
請求項３１〜３９のいずれか１項に記載のアクセスネットワーク機器。
【請求項４１】
端末であって、
プロセッサ及び送受信機を備え、
前記プロセッサは、少なくとも２つのアクセスネットワーク機器のうちの全部又は一部の機器のそれぞれ送信した測定ギャップ設定情報を受信するように前記送受信機を制御するように構成され、前記少なくとも２つのアクセスネットワーク機器が前記端末と同時に接続を確立し、前記測定ギャップ設定情報が前記端末の測定ギャップを設定することに用いられ、前記測定ギャップが、前記端末が現在の動作周波数点以外の他の周波数点において信号測定を行う時間帯を示すことに用いられ、
前記プロセッサは、前記少なくとも２つのアクセスネットワーク機器がそれぞれ送信した測定ギャップ設定情報から、保持する測定ギャップ設定情報を確定するように構成されることを特徴とする、前記端末。
【請求項４２】
前記プロセッサは、更に、前記送受信機が前記保持する測定ギャップ設定情報に基づき、現在の動作周波数点以外の他の周波数点において信号測定を行うように制御するように構成されることを特徴とする
請求項４１に記載の端末。
【請求項４３】
前記少なくとも２つのアクセスネットワーク機器がそれぞれ送信した測定ギャップ設定情報から、保持する測定ギャップ設定情報を確定するとき、前記プロセッサは、具体的に、
前記少なくとも２つのアクセスネットワーク機器のうちのプライマリー接続装置により送信された測定ギャップ設定情報を前記保持する測定ギャップ設定情報として確定し、
又は、
前記少なくとも２つのアクセスネットワーク機器のうちの前記端末に測定ギャップを設定する回数の最も多いアクセスネットワーク機器により送信された測定ギャップ設定情報を前記保持する測定ギャップ設定情報として確定するように構成されることを特徴とする
請求項４１に記載の端末。
【請求項４４】
前記測定ギャップ設定情報は、
測定周波数点、測定周期、及び前記端末が前記他の周波数点において信号測定を行う時間帯の前記測定周期における時間領域位置を含むことを特徴とする
請求項４１〜４３のいずれか１項に記載の端末。
【請求項４５】
前記少なくとも２つのアクセスネットワーク機器がそれぞれ異なる通信システムに属し、
又は、
前記少なくとも２つのアクセスネットワーク機器が同じ通信システムに属することを特徴とする
請求項４１〜４３のいずれか１項に記載の端末。
【請求項４６】
測定ギャップの設定システムであって、
少なくとも２つのアクセスネットワーク機器及び端末を備え、
前記アクセスネットワーク機器は上記請求項１６〜２５のいずれか１項に記載の測定ギャップの設定機器を備え、
前記端末は上記請求項２６〜３０のいずれか１項に記載の測定ギャップの設定機器を備えることを特徴とする、前記測定ギャップの設定システム。
【請求項４７】
測定ギャップの設定システムであって、
少なくとも２つのアクセスネットワーク機器及び端末を備え、
前記アクセスネットワーク機器が上記請求項３１〜４０のいずれか１項に記載のアクセスネットワーク機器であり、
前記端末が上記請求項４１〜４５のいずれか１項に記載の端末であることを特徴とする、前記測定ギャップの設定システム。
【請求項４８】
メモリ、プロセッサ及びメモリに記憶されてプロセッサにおいて実行できるコンピュータプログラムを備えるアクセスネットワーク機器であって、
前記プロセッサが前記プログラムを実行するとき、上記請求項１〜１０のいずれか１項に記載の方法のステップを実現することを特徴とする、前記アクセスネットワーク機器。
【請求項４９】
メモリ、プロセッサ及びメモリに記憶されてプロセッサにおいて実行できるコンピュータプログラムを備える端末であって、
前記プロセッサが前記プログラムを実行するとき、上記請求項１１〜１５のいずれか１項に記載の方法のステップを実現することを特徴とする、前記端末。
【請求項５０】
コンピュータプログラム又は命令が記憶されるコンピュータ可読記憶媒体であって、
前記プログラム又は命令がプロセッサにより実行されるとき、上記請求項１〜１５のいずれか１項に記載の方法のステップを実現することを特徴とする、前記コンピュータ可読記憶媒体。
【発明の詳細な説明】
【技術分野】
【０００１】
本発明の実施例は通信分野に関し、特に測定ギャップの設定方法、装置、設備、端末及びシステムに関する。
【背景技術】
【０００２】
無線通信システムにおいて、端末とアクセスネットワーク機器とが接続状態にあるとき、一般的に現在アクセスしているセルのサービス周波数点以外の他の周波数点において信号測定を行う必要がある。
【０００３】
関連技術において、コストを節約するとともに、異なる周波数点同士の干渉を減らすために、アクセスネットワーク機器は、端末に測定ギャップ（ｍｅａｓｕｒｅｍｅｎｔ  ｇａｐ）を設定することができ、該測定ギャップが、端末が接続状態において指定周波数点に対して信号測定を行う時間帯を示し、該指定周波数点が、端末の現在アクセスしているセルのサービス周波数点以外の他の周波数点である。
【０００４】
具体的に、端末がアクセスネットワーク機器にアクセスした後、アクセスネットワーク機器が端末に測定ギャップを設定する必要があることを判断した場合、端末へ測定ギャップ設定情報を送信することにより、測定ギャップに対応する時間帯になった時に、現在アクセスしているセルのサービス周波数点から指定周波数点に切り替えて信号測定を行い、測定ギャップに対応する時間帯が終了する時に、現在アクセスしているセルのサービス周波数点に戻ってデータの送受信を行うように該端末を構成することができる。
【０００５】
端末がアクセスネットワーク機器に設定された測定ギャップに基づいて信号測定を行うとき、端末が現在アクセスしているセルのサービス周波数点においてデータの送受信を行う必要がある。通信分野の継続的な発展に伴い、少なくとも２つのアクセスネットワーク機器と同時に接続を確立することをサポートする端末が多くなり、関連技術に示される解決手段に基づき、端末が接続する各アクセスネットワーク機器がいずれも端末に測定ギャップを設定し、端末に設定される測定ギャップが多くなり、従って、端末が頻繁にデータ伝送を中断して他の周波数点に切り替えて信号測定を行う必要があり、このため、端末のデータ送受信効率に悪影響を与えてしまう。
【発明の概要】
【発明が解決しようとする課題】
【０００６】
関連技術における、端末が少なくとも２つのアクセスネットワーク機器と同時に接続を確立することをサポートするとき、各アクセスネットワーク機器がいずれも端末に測定ギャップを設定し、従って、端末が頻繁にデータ伝送を中断して他の周波数点に切り替えて信号測定を行う必要があり、このため、端末のデータ送受信効率に悪影響を与えるという技術的問題を解決するために、本発明の実施例は測定ギャップの設定方法、装置、設備、端末及びシステムを提供する。前記技術案は以下のとおりである。
【課題を解決するための手段】
【０００７】
本発明の実施例の第１態様によれば、測定ギャップの設定方法を提供し、少なくとも２つのアクセスネットワーク機器のうちの第１アクセスネットワーク機器に適用され、前記少なくとも２つのアクセスネットワーク機器が端末と同時に接続を確立し、前記方法は、
前記第１アクセスネットワーク機器が前記少なくとも２つのアクセスネットワーク機器のうちの設定機器である場合、前記第１アクセスネットワーク機器が測定ギャップ設定情報を生成し、前記設定機器が、前記少なくとも２つのアクセスネットワーク機器のうちの前記端末に測定ギャップを設定する一部の機器であり、前記測定ギャップが、前記端末が現在の動作周波数点以外の他の周波数点において信号測定を行う時間帯を示すことに用いられることと、
前記第１アクセスネットワーク機器が、前記端末へ前記測定ギャップ設定情報を送信することと、を含む。
【０００８】
好ましくは、前記方法は、更に、
前記第１アクセスネットワーク機器が、前記少なくとも２つのアクセスネットワーク機器のうちの前記第１アクセスネットワーク機器以外の他の装置とネットワーク交渉を行うことにより、前記第１アクセスネットワーク機器が前記設定機器であるかどうかを確定することを含む。
【０００９】
好ましくは、前記第１アクセスネットワーク機器が、前記少なくとも２つのアクセスネットワーク機器のうちの前記第１アクセスネットワーク機器以外の他の装置とネットワーク交渉を行うことにより、前記第１アクセスネットワーク機器が前記設定機器であるかどうかを確定することは、
前記第１アクセスネットワーク機器が、前記他の装置から送信された設定交渉情報を受信することであって、前記設定交渉情報が、前記端末に測定ギャップを設定するアクセスポイント装置を交渉確定することに用いられることと、
前記第１アクセスネットワーク機器が、前記設定交渉情報に基づき、前記第１アクセスネットワーク機器が前記設定機器であるかどうかを確定することと、を含む。
【００１０】
好ましくは、前記設定交渉情報には、前記他の装置に対応する前記端末の設定対象測定ギャップの周波数点が含まれる。
【００１１】
好ましくは、前記設定交渉情報には更に前記他の装置が、前記端末に測定ギャップを設定することを決定したかどうかを示すための設定指示が含まれる。
【００１２】
好ましくは、前記方法は、更に、
前記第１アクセスネットワーク機器が、所定のプロトコルに従って、前記第１アクセスネットワーク機器が前記設定機器であるかどうかを確定することを含む。
【００１３】
好ましくは、前記第１アクセスネットワーク機器が測定ギャップ設定情報を生成することは、
第１所定の条件が満たされる場合、前記第１アクセスネットワーク機器が前記測定ギャップ設定情報を生成することを含み、
前記第１所定の条件が、
前記第１アクセスネットワーク機器に対応する前記端末の設定対象測定ギャップの周波数点及び前記他の装置に対応する前記端末の設定対象測定ギャップの周波数点が同じ周波数点であって、前記周波数点が前記第１アクセスネットワーク機器及び前記他の装置のサービス周波数点に属さず、
又は、前記第１アクセスネットワーク機器に対応する前記端末の設定対象測定ギャップの周波数点及び前記他の装置に対応する前記端末の設定対象測定ギャップの周波数点が、異なる周波数点であり、前記第１アクセスネットワーク機器に対応する前記端末の設定対象測定ギャップの周波数点及び前記他の装置に対応する前記端末の設定対象測定ギャップの周波数点が、前記第１アクセスネットワーク機器及び前記他の装置のサービス周波数点に属さず、且つ前記第１アクセスネットワーク機器に対応する前記端末の設定対象測定ギャップの周波数点が、前記他の装置に対応する前記端末の設定対象測定ギャップの周波数点とともに、前記第１アクセスネットワーク機器又は前記他の装置に対応する通信システムに属し、
又は、前記第１アクセスネットワーク機器に対応する前記端末の設定対象測定ギャップの周波数点及び前記他の装置に対応する前記端末の設定対象測定ギャップの周波数点が、異なる周波数点であり、前記第１アクセスネットワーク機器に対応する前記端末の設定対象測定ギャップの周波数点及び前記他の装置に対応する前記端末の設定対象測定ギャップの周波数点が、前記第１アクセスネットワーク機器及び前記他の装置のサービス周波数点に属さず、且つ前記第１アクセスネットワーク機器に対応する前記端末の設定対象測定ギャップの周波数点及び前記他の装置に対応する前記端末の設定対象測定ギャップの周波数点がそれぞれ前記第１アクセスネットワーク機器及び前記他の装置に対応する通信システムと異なるシステムに属することを含む。
【００１４】
好ましくは、前記方法は、更に、
第２所定の条件が満たされる場合、前記第１アクセスネットワーク機器が前記測定ギャップ設定情報を生成しないことを確定することを含み、
前記第２所定の条件が、
前記他の装置に対応する前記端末の設定対象測定ギャップの周波数点が前記第１アクセスネットワーク機器のサービス周波数点であること、
又は、
前記第１アクセスネットワーク機器に対応する前記端末の設定対象測定ギャップの周波数点が前記他の装置のサービス周波数点であることを含む。
【００１５】
好ましくは、前記測定ギャップ設定情報は、
測定周波数点、測定周期、及び前記端末が前記他の周波数点において信号測定を行う時間帯の前記測定周期における時間領域位置を含む。
【００１６】
好ましくは、前記少なくとも２つのアクセスネットワーク機器がそれぞれ異なる通信システムに属し、
又は、前記少なくとも２つのアクセスネットワーク機器が同じ通信システムに属する。
【００１７】
本発明の実施例の第２態様によれば、測定ギャップの設定方法を提供し、前記方法は、
端末が少なくとも２つのアクセスネットワーク機器のうちの全部又は一部の機器のそれぞれ送信した測定ギャップ設定情報を受信し、前記少なくとも２つのアクセスネットワーク機器が前記端末と同時に接続を確立し、前記測定ギャップ設定情報が前記端末の測定ギャップを設定することに用いられ、前記測定ギャップが、前記端末が現在の動作周波数点以外の他の周波数点において信号測定を行う時間帯を示すことに用いられることと、
前記端末が、前記少なくとも２つのアクセスネットワーク機器がそれぞれ送信した測定ギャップ設定情報から、保持する測定ギャップ設定情報を確定することと、を含む。
【００１８】
好ましくは、前記方法は、更に、
前記端末が、前記保持する測定ギャップ設定情報に基づき、現在の動作周波数点以外の他の周波数点において信号測定を行うことを含む。
【００１９】
好ましくは、前記端末が、前記少なくとも２つのアクセスネットワーク機器がそれぞれ送信した測定ギャップ設定情報から、保持する測定ギャップ設定情報を確定することは、
前記端末が、前記少なくとも２つのアクセスネットワーク機器のうちのプライマリー接続装置により送信された測定ギャップ設定情報を前記保持する測定ギャップ設定情報として確定し、
又は、
前記端末が、前記少なくとも２つのアクセスネットワーク機器のうちの前記端末に測定ギャップを設定する回数の最も多いアクセスネットワーク機器により送信された測定ギャップ設定情報を前記保持する測定ギャップ設定情報として確定することを含む。
【００２０】
好ましくは、前記測定ギャップ設定情報は、
測定周波数点、測定周期、及び前記端末が前記他の周波数点において信号測定を行う時間帯の前記測定周期における時間領域位置を含む。
【００２１】
好ましくは、前記少なくとも２つのアクセスネットワーク機器がそれぞれ異なる通信システムに属し、
又は、前記少なくとも２つのアクセスネットワーク機器が同じ通信システムに属する。
【００２２】
本発明の実施例の第３態様によれば、測定ギャップの設定機器を提供し、前記信号測定装置は上記第１態様又は第１態様におけるいずれか１つの可能な実現方式に係る測定ギャップの設定方法を実現するように構成される少なくとも１つのユニットを備える。
【００２３】
本発明の実施例の第４態様によれば、測定ギャップの設定機器を提供し、前記信号測定装置は上記第２態様又は第２態様におけるいずれか１つの可能な実現方式に係る測定ギャップの設定方法を実現するように構成される少なくとも１つのユニットを備える。
【００２４】
本発明の実施例の第５態様によれば、アクセスネットワーク機器を提供し、前記アクセスネットワーク機器はプロセッサ、メモリ及び送受信機を備え、前記プロセッサが１つ又は１つ以上の命令を記憶することに用いられ、前記命令が前記プロセッサにより実行されるように指示され、前記プロセッサは送受信機が上記第１態様又は第１態様におけるいずれか１つの可能な実現方式に係る測定ギャップの設定方法を実現するように制御することに用いられる。
【００２５】
本発明の実施例の第６態様によれば、端末を提供し、前記端末はプロセッサ、メモリ及び送受信機を備え、前記プロセッサが１つ又は１つ以上の命令を記憶することに用いられ、前記命令が前記プロセッサにより実行されるように指示され、前記プロセッサは送受信機が上記第２態様又は第２態様におけるいずれか１つの可能な実現方式に係る測定ギャップの設定方法を実現するように制御することに用いられる。
【００２６】
本発明の実施例の第７態様によれば、コンピュータ可読記憶媒体を提供し、前記コンピュータ可読記憶媒体にコンピュータプログラム（命令）が記憶され、前記プログラム（命令）がプロセッサにより実行されるとき、上記第１態様又は第１態様におけるいずれか１つの可能な実現方式に係る測定ギャップの設定方法のステップを実現し、又は、前記プログラム（命令）がプロセッサにより実行されるとき、上記第２態様又は第２態様におけるいずれか１つの可能な実現方式に係る測定ギャップの設定方法のステップを実現する。
【００２７】
本発明の実施例の第８態様によれば、測定ギャップの設定システムを提供し、該測定ギャップの設定システムは端末及びアクセスネットワーク機器を備えてもよい。該アクセスネットワーク機器が上記第３態様に係る測定ギャップの設定機器を備えるアクセスネットワーク機器であってもよく、該端末が上記第４態様に係る測定ギャップの設定機器を備える端末であってもよい。
【００２８】
本発明の実施例の第９態様によれば、測定ギャップの設定システムを提供し、該測定ギャップの設定システムは端末及びアクセスネットワーク機器を備えてもよい。該アクセスネットワーク機器が上記第５態様に係るアクセスネットワーク機器であってもよく、該端末が上記第６態様に係る端末であってもよい。
【発明の効果】
【００２９】
本発明の実施例に係る技術案の有益な効果は以下のとおりである。
【００３０】
端末が少なくとも２つのアクセスネットワーク機器と同時に接続を確立する場合、該少なくとも２つのアクセスネットワーク機器のうちの第１アクセスネットワーク機器はそれが該端末の設定機器であることを確定した後のみ、端末へ測定ギャップ設定情報を送信し、設定機器が少なくとも２つのアクセスネットワーク機器のうちの一部の機器であり、つまり、端末が同時に接続する少なくとも２つのアクセスネットワーク機器のうちの一部の機器に設定された測定ギャップに基づいて異周波数又は異方式測定を行えばよく、それにより端末が少なくとも２つのアクセスネットワーク機器と同時に接続を確立するときの測定ギャップの設定数を減少させ、端末が頻繁にデータ伝送を中断して他の周波数点に切り替えて信号測定を行うことを避け、端末のデータ送受信効率を向上させる。
【図面の簡単な説明】
【００３１】
【図１】図１は本発明の一実施例に係る移動通信システムの構造模式図である。
【図２】図２は本発明の一実施例に係る測定ギャップの設定方法のフローチャートである。
【図３】図３は本発明の一実施例に係る測定ギャップの設定方法のフローチャートである。
【図４】図４は本発明の一実施例に係る測定ギャップの設定方法のフローチャートである。
【図５】図５は本発明の一実施例に係る測定ギャップの設定方法のフローチャートである。
【図６】図６は本発明の一実施例に係る測定ギャップの設定機器の構造模式図である。
【図７】図７は本発明の一実施例に係る測定ギャップの設定機器の構造模式図である。
【図８】図８は本発明の一実施例に係るアクセスネットワーク機器の構造模式図である。
【図９】図９は本発明の一実施例に係る端末の構造模式図である。
【発明を実施するための形態】
【００３２】
本発明の実施例の技術案をより明確に説明するために、以下に実施例の記述において必要な図面を用いて簡単に説明を行うが、当然ながら、以下に記載する図面は単に本発明の実施例の一例であって、当業者であれば、創造的な労力を要することなく、これらの図面に基づいて他の図面に想到しうる。
【００３３】
本発明の目的、技術案及び利点をより明確にするために、以下に図面を参照しながら本発明の実施形態を更に詳しく説明する。
【００３４】
本明細書に言及した「モジュール」は一般的にメモリに記憶されるいくつかの機能を実現できるプログラム又は命令を指し、本明細書に言及した「ユニット」は一般的に論理に基づいて分割した機能構造を指し、該「ユニット」はハードウェアのみで実現されてもよいし、ソフトウェア及びハードウェアの組み合わせで実現されてもよい。
【００３５】
本明細書に言及した「複数」は少なくとも２つを指す。「及び／又は」は関連オブジェクトの関連関係を説明し、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。文字「／」は一般的に前後関連オブジェクトが「又は」関係であることを示す。
【００３６】
図１は本発明の実施例に係る無線通信システムのアーキテクチャ図である。該無線通信システムは移動通信システムであってもよく、例えば、該無線通信システムは第３世代移動通信（３Ｇ：ｔｈｅ  ３ｒｄ  ｇｅｎｅｒａｔｉｏｎ  ｍｏｂｉｌｅ  ｃｏｍｍｕｎｉｃａｔｉｏｎ）システムであってもよく、又は、該無線通信システムはロングタームエボリューション（ＬＴＥ：Ｌｏｎｇ  Ｔｅｒｍ  Ｅｖｏｌｕｔｉｏｎ）システムとも称される第４世代移動通信（４Ｇ：ｔｈｅ  ４ｔｈ  ｇｅｎｅｒａｔｉｏｎ  ｍｏｂｉｌｅ  ｃｏｍｍｕｎｉｃａｔｉｏｎ）システムであってもよく、又は、該無線通信システムは新エアインターフェース（ＮＲ：ｎｅｗ  ｒａｄｉｏ）システムとも称される５Ｇシステムであってもよい。該無線通信システムはアクセスネットワーク機器１１０及び端末１２０を備える。
【００３７】
アクセスネットワーク機器１１０は無線通信システムにおける基地局（ＢＳ：ｂａｓｅ  ｓｔａｔｉｏｎ）であってもよく、異なる無線通信システムにおいて、基地局の名称が異なってもよい。例えば、アクセスネットワーク機器１１０は３ＧシステムにおけるＮｏｄｅＢであってもよい。又は、アクセスネットワーク機器１１０は４Ｇシステムにおける用いた発展型基地局（ｅＮＢ）であってもよい。又は、アクセスネットワーク機器１１０は５Ｇシステムにおける集中分散アーキテクチャを用いた基地局（ｇＮＢ）であってもよい。アクセスネットワーク機器１１０は集中分散アーキテクチャを用いる場合、一般的に集約基地局（ＣＵ：ｃｅｎｔｒａｌ  ｕｎｉｔ）及び少なくとも２つのリモート局（ＤＵ：ｄｉｓｔｒｉｂｕｔｅｄ  ｕｎｉｔ）を備える。集約基地局にパケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御プロトコル（ＲＬＣ：Ｒａｄｉｏ  Ｌｉｎｋ  Ｃｏｎｔｒｏｌ）層、媒体アクセス制御（ＭＡＣ：Ｍｅｄｉａ  Ａｃｃｅｓｓ  Ｃｏｎｔｒｏｌ）層のプロトコルスタックが設置され、リモート局に物理（ＰＨＹ：Ｐｈｙｓｉｃａｌ）層のプロトコルスタックが設置され、本発明の実施例はアクセスネットワーク機器１１０の具体的な実現方式を制限しない。
【００３８】
アクセスネットワーク機器１１０及び端末１２０が無線エアインターフェースを介して無線接続を確立する。様々な実施形態において、該無線エアインターフェースは第４世代移動通信ネットワーク技術（４Ｇ）標準に基づく無線エアインターフェースであり、又は、該無線エアインターフェースは第５世代移動通信ネットワーク技術（５Ｇ）標準に基づく無線エアインターフェースであり、例えば該無線エアインターフェースは新エアインターフェースであり、又は、該無線エアインターフェースは５Ｇの次世代移動通信ネットワーク技術標準に基づく無線エアインターフェースであってもよい。
【００３９】
端末１２０はユーザーに音声及び／又はデータ接続を提供する装置を指してもよい。端末１２０は無線アクセスネットワーク（ＲＡＮ：Ｒａｄｉｏ  Ａｃｃｅｓｓ  Ｎｅｔｗｏｒｋ）経由で１つ又は複数のコアネットワークと通信することができ、端末１２０はモバイル端末、例えば携帯電話（「セルラー方式」の携帯電話とも称される）及びモバイル端末を有するコンピュータであってもよく、例えば、ポータブル、ポケットサイズ、手持ち式、コンピュータが内蔵された又は車載のモバイルデバイスであってもよい。例えば、ステーション（ＳＴＡ：Ｓｔａｔｉｏｎ）、加入者ユニット（ｓｕｂｓｃｒｉｂｅｒ  ｕｎｉｔ）、加入者局（ｓｕｂｓｃｒｉｂｅｒ  ｓｔａｔｉｏｎ）、移動局（ｍｏｂｉｌｅ  ｓｔａｔｉｏｎ）、トラバーサー（ｍｏｂｉｌｅ）、遠隔局（ｒｅｍｏｔｅ  ｓｔａｔｉｏｎ）、アクセスポイント、遠隔端末（ｒｅｍｏｔｅ  ｔｅｒｍｉｎａｌ）、アクセス端末（ａｃｃｅｓｓ  ｔｅｒｍｉｎａｌ）、ユーザー装置（ｕｓｅｒ  ｔｅｒｍｉｎａｌ）、ユーザーエージェント（ｕｓｅｒ  ａｇｅｎｔ）、ユーザーデバイス（ｕｓｅｒ  ｄｅｖｉｃｅ）又はユーザー端末（ＵＥ：ｕｓｅｒ  ｅｑｕｉｐｍｅｎｔ）が挙げられる。
【００４０】
ただし、図１に示される無線通信システムにおいて、複数のアクセスネットワーク機器１１０及び／又は複数の端末１２０を備えてもよく、図１には２つのアクセスネットワーク機器１１０及び１つの端末１２０を示す場合を例として説明するが、本実施例はこれを制限しない。
【００４１】
端末１２０がアクセスネットワーク機器１１０と接続を確立した（つまり、端末１２０が該アクセスネットワーク機器１１０の維持する１つのセルにアクセスした）後、端末１２０とアクセスネットワーク機器１１０とが接続状態にある場合、該端末１２０は更に現在アクセスしているセルのサービス周波数点以外の他の周波数点に対して信号測定を行う必要がある可能性があり、該過程が異周波数測定と称されてもよく、又は、該他の周波数点が現在アクセスしているセルに対応するシステム以外の他のシステムの方式に対応するシステムの周波数点である場合、該過程が異方式測定と称されてもよく、該他の周波数点がアクセスネットワーク機器１１０に対応する通信システムにおける周波数点であってもよく、又は、該他の周波数点が該アクセスネットワーク機器１１０に対応する通信システム以外の周波数点であってもよい。
【００４２】
上記通信システムはアクセスネットワーク機器１１０のネットワークの方式に対応するシステムであってもよく、例えば、上記通信システムは３Ｇ、４Ｇ又は５Ｇシステムであってもよい。且つ、本発明の実施例に示される無線通信システムは少なくとも１つの通信システムを含んでもよく、又は、該無線通信システムは様々な異なる通信システムと両立できる。
【００４３】
本発明の実施例において、端末１２０が少なくとも２つのアクセスネットワーク機器１１０と同時に接続を確立することをサポートする。
【００４４】
端末１２０に同時に接続される少なくとも２つのアクセスネットワーク機器１１０がそれぞれ異なる通信システムに属してもよく、例えば、ある端末に同時に接続されるアクセスネットワーク機器の数が２つである場合を例とし、端末に同時に接続される該２つのアクセスネットワーク機器がそれぞれ４Ｇシステム及び５Ｇシステムに属してもよい。
【００４５】
又は、端末１２０に同時に接続される少なくとも２つのアクセスネットワーク機器１１０が同じ通信システムに属してもよく、例えば、ある端末に同時に接続されるアクセスネットワーク機器の数が２つである場合を例とし、端末に同時に接続される該２つのアクセスネットワーク機器がいずれも４Ｇシステムに属してもよく、又は、端末に同時に接続される該２つのアクセスネットワーク機器がいずれも５Ｇシステムに属してもよい。
【００４６】
本発明の実施例において、端末１２０が少なくとも２つのアクセスネットワーク機器１１０と同時に接続を確立する場合、該少なくとも２つのアクセスネットワーク機器１１０が端末１２０に測定ギャップを設定するとき、該少なくとも２つのアクセスネットワーク機器１１０は交渉し又は所定のプロトコルに従って、該少なくとも２つのアクセスネットワーク機器１１０のうちの一方（又は、一部）が端末に測定ギャップを設定するが、該少なくとも２つのアクセスネットワーク機器１１０のうちの他方が端末に測定ギャップを設定しないことを確定し、それにより端末が少なくとも２つのアクセスネットワーク機器１１０と同時に接続を確立するときの測定ギャップの設定数を減少させ、端末が頻繁にデータ伝送を中断して他の周波数点に切り替えて信号測定を行うことを避け、端末のデータ送受信効率を向上させる。
【００４７】
図２には本発明の実施例に係る測定ギャップの設定方法のフローチャートを示す。本実施例は該測定ギャップの設定方法が図１に示される移動通信システムに適用され、少なくとも２つのアクセスネットワーク機器に同時に接続される端末の測定ギャップを設定する場合を例として説明する。該方法は以下を含む。
【００４８】
ステップ２０１、第１アクセスネットワーク機器は該第１アクセスネットワーク機器が端末の設定機器であるかどうかを確定する。
【００４９】
設定機器が該少なくとも２つのアクセスネットワーク機器のうちの該端末に測定ギャップを設定する一部の機器である。該測定ギャップは端末が現在の動作周波数点以外の他の周波数点において信号測定を行う時間帯を示すことに用いられる。
【００５０】
本発明の実施例において、端末が現在アクセスしているセルのサービス周波数点において通信するとき、現在アクセスしているセルのサービス周波数点以外の他の周波数点を測定する必要がある場合、該現在アクセスしているセルに対応するアクセスネットワーク機器が該他の周波数点の測定設定を行う必要があり、具体的に、該現在アクセスしているセルに対応するアクセスネットワーク機器は端末に測定ギャップを設定することができ、該測定ギャップは端末が該他の周波数点において信号測定を行う時間帯である。
【００５１】
なお、本発明の実施例において、端末が少なくとも２つのアクセスネットワーク機器と同時に接続を確立する場合、該少なくとも２つのアクセスネットワーク機器はいずれも該端末に測定ギャップを設定することがなく、一部（１つ又は複数であってもよい）のアクセスネットワーク機器が端末に測定ギャップを設定すればよい。端末に測定ギャップを設定する該アクセスネットワーク機器が上記設定機器である。
【００５２】
ステップ２０２、第１アクセスネットワーク機器が少なくとも２つのアクセスネットワーク機器のうちの設定機器である場合、第１アクセスネットワーク機器が測定ギャップ設定情報を生成する。
【００５３】
第１アクセスネットワーク機器はそれが端末の設定機器であることを確定する場合、該第１アクセスネットワーク機器が端末に設定された測定ギャップを示すための測定ギャップ設定情報を生成する。
【００５４】
好ましくは、本発明の実施例において、該測定ギャップ設定情報は、具体的に、測定周波数点、測定周期及び端末が現在アクセスしているセルのサービス周波数点以外の他の周波数点において信号測定を行う時間帯の該測定周期における時間領域位置を含んでもよい。
【００５５】
例えば、第１アクセスネットワーク機器は端末が８０ｍｓおきに周波数点ｆに対して異周波数測定を１回行う必要があって、異周波数測定の測定ギャップが各周期の最初の６ｍｓにあると仮定する場合、第１アクセスネットワーク機器の生成した測定ギャップ設定情報に含まれる周波数点ｆの測定周期が８０ｍｓであり、且つ含まれる測定ギャップの時間領域位置が各周期の最初の６ｍｓである。
【００５６】
ステップ２０３、第１アクセスネットワーク機器が端末へ該測定ギャップ設定情報を送信する。
【００５７】
本発明の実施例において、第１アクセスネットワーク機器は特定のシグナリング又はメッセージによって端末へ該測定ギャップ設定情報を送信することができる。
【００５８】
具体的に、例えば、第１アクセスネットワーク機器は無線リソース制御（ＲＲＣ：Ｒａｄｉｏ  Ｒｅｓｏｕｒｃｅ  Ｃｏｎｔｒｏｌ）シグナリングによって端末へ該測定ギャップ設定情報を送信することができる。
【００５９】
ステップ２０４、端末が測定ギャップ設定情報に基づいて信号測定を行う。
【００６０】
端末は第１アクセスネットワーク機器から送信された測定ギャップ設定情報を受信した後、該測定ギャップ設定情報に基づいて信号測定を行うことができる。
【００６１】
例えば、測定ギャップ設定情報は具体的に測定周期、及び端末が現在アクセスしているセルのサービス周波数点以外の他の周波数点において信号測定を行う時間帯の該測定周期における時間領域位置を含んでもよい場合を例とし、上記測定周波数点がｆ、測定周期が８０ｍｓ、測定ギャップに対応する各測定周期における時間領域位置が各周期の最初の６ｍｓである場合、端末が信号測定を行うとき、各８０ｍｓの最初の６ｍｓ内に現在アクセスしているセルのサービス周波数点を離れて、周波数点ｆにジャンプして信号測定を行い、該最初の６ｍｓの後で、端末が現在アクセスしているセルのサービス周波数点にジャンプして数据通信を行う。
【００６２】
具体的に、例えば、１つの端末がアクセスネットワーク機器Ａ及びアクセスネットワーク機器Ｂと同時に接続を確立する場合を例とし、端末が現在アクセスしているセルのサービス周波数点以外の他の周波数点を測定する必要がある場合、アクセスネットワーク機器Ａ及びアクセスネットワーク機器Ｂのうちの一方が端末に測定ギャップを設定すればよく、アクセスネットワーク機器Ａ及びアクセスネットワーク機器Ｂがそれぞれ端末に測定ギャップを設定する必要がなく、このように、端末がデータ伝送を行うとき、１つの装置に設定された測定ギャップに基づいて異周波数測定又は異方式測定を行えばよく、２つのアクセスネットワーク機器がそれぞれ設定した測定ギャップに基づいて異周波数又は異方式測定を行う必要がなく、それにより現在アクセスしているセルのサービス周波数点以外のものにジャンプする周波数及び時間を減少させる。
【００６３】
上記に記載されているように、本発明の実施例に示される方法において、端末が少なくとも２つのアクセスネットワーク機器と同時に接続を確立する場合、該少なくとも２つのアクセスネットワーク機器のうちの第１アクセスネットワーク機器はそれが該端末の設定機器であることを確定した後のみ、端末へ測定ギャップ設定情報を送信し、設定機器が少なくとも２つのアクセスネットワーク機器のうちの一部の機器であり、つまり、端末が同時に接続する少なくとも２つのアクセスネットワーク機器のうちの一部の機器に設定された測定ギャップに基づいて異周波数又は異方式測定を行えばよく、それにより端末が少なくとも２つのアクセスネットワーク機器と同時に接続を確立するときの測定ギャップの設定数を減少させ、端末が頻繁にデータ伝送を中断して他の周波数点に切り替えて信号測定を行うことを避け、端末のデータ送受信効率を向上させる。
【００６４】
上記図２に対応する実施例において、第１アクセスネットワーク機器は該第１アクセスネットワーク機器が端末の設定機器であるかどうかを確定するとき、該端末に同時にアクセスする他のアクセスネットワーク機器と交渉確定してもよく、又は、所定のルール（例えば、所定のプロトコル）に従って確定してもよい。本発明の後続の実施例はこの２つの状況を例としてそれぞれ説明する。
【００６５】
図３には本発明の実施例に係る測定ギャップの設定方法のフローチャートを示す。本実施例は該測定ギャップの設定方法が図１に示される移動通信システムに適用され、少なくとも２つのアクセスネットワーク機器が交渉方式で端末の測定ギャップを設定する場合を例として説明する。該方法は以下を含む。
【００６６】
ステップ３０１、端末が少なくとも２つのアクセスネットワーク機器と接続を確立する。
【００６７】
本発明の実施例において、端末は第１アクセスネットワーク機器を含む少なくとも２つのアクセスネットワーク機器と同時に接続を確立してネットワーク通信を行うことができる。
【００６８】
ステップ３０２、第１アクセスネットワーク機器が他の装置とネットワーク交渉を行うことにより、該第１アクセスネットワーク機器が設定機器であるかどうかを確定する。
【００６９】
該他の装置が該少なくとも２つのアクセスネットワーク機器のうちの第１アクセスネットワーク機器以外の他の装置である。
【００７０】
該設定機器が該少なくとも２つのアクセスネットワーク機器のうちの該端末に測定ギャップを設定する一部の機器である。該測定ギャップは端末が現在の動作周波数点以外の他の周波数点において信号測定を行う時間帯を示すことに用いられる。
【００７１】
好ましくは、本発明の実施例において、第１アクセスネットワーク機器が他の装置とネットワーク交渉を行うとき、他の装置から送信された、端末に測定ギャップを設定するアクセスポイント装置を交渉確定するための設定交渉情報を受信することができ、第１アクセスネットワーク機器は該設定交渉情報に基づいて第１アクセスネットワーク機器が上記設定機器であるかどうかを確定する。
【００７２】
好ましくは、該設定交渉情報には、更に他の装置が端末に測定ギャップを設定することを決定したかどうかを示すための設定指示が含まれる。第１アクセスネットワーク機器は該設定交渉情報に基づいて第１アクセスネットワーク機器が上記設定機器であるかどうかを確定するとき、第１アクセスネットワーク機器の受信した設定交渉情報に含まれる設定指示が、他の装置が端末に測定ギャップを設定しないことを決定したことを示すことに用いられる場合、該第１アクセスネットワーク機器はそれが上記設定機器であることを確定でき、又は、第１アクセスネットワーク機器の受信した設定交渉情報に含まれる設定指示が、他の装置が端末に測定ギャップを設定することを決定したことを示すことに用いられる場合、第１アクセスネットワーク機器はそれが上記設定機器ではないことを確定できる。
【００７３】
好ましくは、該設定交渉情報には他の装置に対応する該端末の設定対象測定ギャップの周波数点が含まれてもよい。
【００７４】
ステップ３０３、第１アクセスネットワーク機器が少なくとも２つのアクセスネットワーク機器のうちの設定機器である場合、第１アクセスネットワーク機器が測定ギャップ設定情報を生成する。
【００７５】
第１アクセスネットワーク機器はそれが端末の設定機器であることを確定する場合、該第１アクセスネットワーク機器が端末に設定された測定ギャップを示すための測定ギャップ設定情報を生成する。
【００７６】
好ましくは、本発明の実施例において、該測定ギャップ設定情報は、具体的に、測定周波数点、測定周期及び端末が現在アクセスしているセルのサービス周波数点以外の他の周波数点において信号測定を行う時間帯の該測定周期における時間領域位置を含んでもよい。
【００７７】
ステップ３０４、第１アクセスネットワーク機器が端末へ該測定ギャップ設定情報を送信する。
【００７８】
本発明の実施例において、第１アクセスネットワーク機器は特定のシグナリング又はメッセージによって端末へ該測定ギャップ設定情報を送信することができる。
【００７９】
具体的に、例えば、第１アクセスネットワーク機器はＲＲＣシグナリングによって端末へ該測定ギャップ設定情報を送信することができる。
【００８０】
ステップ３０５、端末が測定ギャップ設定情報に基づいて信号測定を行う。
【００８１】
端末は第１アクセスネットワーク機器から送信された測定ギャップ設定情報を受信した後、該測定ギャップ設定情報に基づいて信号測定を行うことができる。
【００８２】
具体的に、例えば、１つの端末がアクセスネットワーク機器Ａ及びアクセスネットワーク機器Ｂと同時に接続を確立する場合を例とし、端末が現在アクセスしているセルのサービス周波数点以外の他の周波数点を測定する必要がある場合、アクセスネットワーク機器Ａがアクセスネットワーク機器Ｂから送信された設定交渉情報を受信し、該設定交渉情報はアクセスネットワーク機器Ｂが端末に測定ギャップを割り当てることを確定することを示す場合、アクセスネットワーク機器Ａはそれが端末の設定機器ではないことを確定し、この時、アクセスネットワーク機器Ｂが端末の設定機器であり、又は、該設定交渉情報はアクセスネットワーク機器Ｂが端末に測定ギャップを割り当てないことを確定することを示す場合、アクセスネットワーク機器Ａはそれが端末の設定機器であることを確定し、この時、アクセスネットワーク機器Ｂが端末の設定機器ではない。アクセスネットワーク機器Ａはそれが端末の設定機器であることを確定した後、アクセスネットワーク機器Ａが端末に測定ギャップを設定し、つまり、測定ギャップ設定情報を生成して端末へ送信し、後続の端末がアクセスネットワーク機器Ａに設定された測定ギャップに基づいて異周波数又は異方式測定を行えばよく、それにより現在アクセスしているセルのサービス周波数点以外のものにジャンプする周波数及び時間を減少させる。
【００８３】
上記に記載されているように、本発明の実施例に示される方法において、端末が少なくとも２つのアクセスネットワーク機器と同時に接続を確立する場合、該少なくとも２つのアクセスネットワーク機器のうちの第１アクセスネットワーク機器が他の装置と交渉することにより、それが該端末の設定機器であることを確定した後のみ、端末へ測定ギャップ設定情報を送信し、設定機器が少なくとも２つのアクセスネットワーク機器のうちの一部の機器であり、つまり、端末が同時に接続する少なくとも２つのアクセスネットワーク機器のうちの一部の機器に設定された測定ギャップに基づいて異周波数又は異方式測定を行えばよく、それにより端末が少なくとも２つのアクセスネットワーク機器と同時に接続を確立するときの測定ギャップの設定数を減少させ、端末が頻繁にデータ伝送を中断して他の周波数点に切り替えて信号測定を行うことを避け、端末のデータ送受信効率を向上させる。
【００８４】
図４には本発明の実施例に係る測定ギャップの設定方法のフローチャートを示す。本実施例は該測定ギャップの設定方法が図１に示される移動通信システムに適用され、少なくとも２つのアクセスネットワーク機器が所定のルールに従って端末の測定ギャップを設定する場合を例として説明する。該方法は以下を含む。
【００８５】
ステップ４０１、端末が第１アクセスネットワーク機器を含む少なくとも２つのアクセスネットワーク機器と接続を確立する。
【００８６】
本発明の実施例において、端末は第１アクセスネットワーク機器を含む少なくとも２つのアクセスネットワーク機器と同時に接続を確立してネットワーク通信を行うことができる。
【００８７】
ステップ４０２、第１アクセスネットワーク機器は所定のプロトコルに従って該第１アクセスネットワーク機器が設定機器であるかどうかを確定する。
【００８８】
該設定機器が該少なくとも２つのアクセスネットワーク機器のうちの該端末に測定ギャップを設定する一部の機器である。該測定ギャップは端末が現在の動作周波数点以外の他の周波数点において信号測定を行う時間帯を示すことに用いられる。
【００８９】
好ましくは、該所定のプロトコルが所定の通信プロトコル又はプライベートプロトコルであってもよい。
【００９０】
好ましくは、上記所定のプロトコルは少なくとも２つのアクセスネットワーク機器のうちの主装置が端末の設定機器であることを指定する。第１アクセスネットワーク機器はそれが端末の設定機器であるかどうかを確定するとき、第１アクセスネットワーク機器は端末に同時に接続される少なくとも２つのアクセスネットワーク機器同士の関係を取得することができ、該少なくとも２つのアクセスネットワーク機器同士の関係は該少なくとも２つのアクセスネットワーク機器のうちの主装置及び補助装置を示す関係であってもよい。該少なくとも２つのアクセスネットワーク機器同士の関係は該第１アクセスネットワーク機器が主装置であることを示す場合、該第１アクセスネットワーク機器はそれが端末の設定機器であることを確定できる。
【００９１】
好ましくは、上記所定のプロトコルは少なくとも２つのアクセスネットワーク機器のうちの端末に測定ギャップを設定する回数の最も多い装置が設定機器であることを指定する。第１アクセスネットワーク機器はそれが端末の設定機器であるかどうかを確定するとき、端末に同時に接続される少なくとも２つのアクセスネットワーク機器がそれぞれ端末に測定ギャップを設定する回数を取得することができ、該第１アクセスネットワーク機器が端末に測定ギャップを設定する回数は最大値である場合、該第１アクセスネットワーク機器はそれが端末の設定機器であることを確定できる。
【００９２】
ステップ４０３、第１アクセスネットワーク機器が少なくとも２つのアクセスネットワーク機器のうちの設定機器である場合、第１アクセスネットワーク機器が測定ギャップ設定情報を生成する。
【００９３】
第１アクセスネットワーク機器はそれが端末の設定機器であることを確定する場合、該第１アクセスネットワーク機器が端末に設定された測定ギャップを示すための測定ギャップ設定情報を生成する。
【００９４】
好ましくは、本発明の実施例において、該測定ギャップ設定情報は、具体的に、測定周波数点、測定周期及び端末が現在アクセスしているセルのサービス周波数点以外の他の周波数点において信号測定を行う時間帯の該測定周期における時間領域位置を含んでもよい。
【００９５】
ステップ４０４、第１アクセスネットワーク機器が端末へ該測定ギャップ設定情報を送信する。
【００９６】
本発明の実施例において、第１アクセスネットワーク機器は特定のシグナリング又はメッセージによって端末へ該測定ギャップ設定情報を送信することができる。
【００９７】
具体的に、例えば、第１アクセスネットワーク機器はＲＲＣシグナリングによって端末へ該測定ギャップ設定情報を送信することができる。
【００９８】
ステップ４０５、端末が測定ギャップ設定情報に基づいて信号測定を行う。
【００９９】
端末は第１アクセスネットワーク機器から送信された測定ギャップ設定情報を受信した後、該測定ギャップ設定情報に基づいて信号測定を行うことができる。
【０１００】
具体的に、例えば、１つの端末がアクセスネットワーク機器Ａ及びアクセスネットワーク機器Ｂと同時に接続を確立する場合を例とし、端末が現在アクセスしているセルのサービス周波数点以外の他の周波数点を測定する必要がある場合、アクセスネットワーク機器Ａ及びアクセスネットワーク機器Ｂはそれぞれ所定のプロトコルに従ってそれが端末の設定機器であるかどうかを確定し、該所定のプロトコルはアクセスネットワーク機器Ａ及びアクセスネットワーク機器Ｂのうちの一方のみが端末の設定機器であることを確定する。アクセスネットワーク機器Ａはそれが端末の設定機器であることを確定する場合、アクセスネットワーク機器Ａが端末に測定ギャップを設定し、つまり、測定ギャップ設定情報を生成して端末へ送信し、後続の端末がアクセスネットワーク機器Ａに設定された測定ギャップに基づいて異周波数又は異方式測定を行えばよく、それにより現在アクセスしているセルのサービス周波数点以外のものにジャンプする周波数及び時間を減少させる。
【０１０１】
上記に記載されているように、本発明の実施例に示される方法において、端末が少なくとも２つのアクセスネットワーク機器と同時に接続を確立する場合、該少なくとも２つのアクセスネットワーク機器のうちの第１アクセスネットワーク機器は所定のプロトコルに従ってそれが該端末の設定機器であることを確定した後のみ、端末へ測定ギャップ設定情報を送信し、設定機器が少なくとも２つのアクセスネットワーク機器のうちの一部の機器であり、つまり、端末が同時に接続する少なくとも２つのアクセスネットワーク機器のうちの一部の機器に設定された測定ギャップに基づいて異周波数又は異方式測定を行えばよく、それにより端末が少なくとも２つのアクセスネットワーク機器と同時に接続を確立するときの測定ギャップの設定数を減少させ、端末が頻繁にデータ伝送を中断して他の周波数点に切り替えて信号測定を行うことを避け、端末のデータ送受信効率を向上させる。
【０１０２】
本発明の各実施例において、端末と同時に接続を確立する少なくとも２つのアクセスネットワーク機器に対応する該端末の設定対象測定ギャップの周波数点が一定の条件を満たす場合のみ、端末に測定ギャップを設定する必要がある。具体的に、少なくとも２つのアクセスネットワーク機器のうちの第１アクセスネットワーク機器を例とし、第１所定の条件が満たされ、且つ第１アクセスネットワーク機器が端末の設定機器である場合のみ、該第１アクセスネットワーク機器が該測定ギャップ設定情報を生成する。
【０１０３】
該第１所定の条件は以下の３つの条件を含んでもよいが、それらのうちの１つに限らない。
【０１０４】
条件１
該第１アクセスネットワーク機器に対応する該端末の設定対象測定ギャップの周波数点及び該他の装置に対応する該端末の設定対象測定ギャップの周波数点が同じ周波数点であって、該周波数点が該第１アクセスネットワーク機器及び該他の装置のサービス周波数点に属さない。
【０１０５】
本発明の実施例において、アクセスネットワーク機器に対応する端末の設定対象測定ギャップはアクセスネットワーク機器が端末に設定しようとする測定ギャップを指すが、該測定ギャップが最終的に設定することを確定したものではない。
【０１０６】
例えば、端末がアクセスネットワーク機器Ａ及びアクセスネットワーク機器Ｂと同時に接続を確立しており、アクセスネットワーク機器Ａ及びアクセスネットワーク機器Ｂはいずれもある周波数点ｆ１を測定するように該端末を設定しようとし、この周波数点ｆ１がアクセスネットワーク機器Ａ及びアクセスネットワーク機器Ｂのサービス周波数点に属さず、測定ギャップを設定する必要がある場合、アクセスネットワーク機器Ａ及びアクセスネットワーク機器Ｂはどのアクセスネットワーク機器によって端末の測定ギャップを設定するかを交渉し、又は、所定のプロトコルに従ってどのアクセスネットワーク機器が測定ギャップを設定するかを確定することができる。
【０１０７】
条件２
該第１アクセスネットワーク機器に対応する該端末の設定対象測定ギャップの周波数点及び該他の装置に対応する該端末の設定対象測定ギャップの周波数点が異なる周波数点であり、該第１アクセスネットワーク機器に対応する該端末の設定対象測定ギャップの周波数点及び該他の装置に対応する該端末の設定対象測定ギャップの周波数点が該第１アクセスネットワーク機器及び該他の装置のサービス周波数点に属さず、且つ該第１アクセスネットワーク機器に対応する該端末の設定対象測定ギャップの周波数点が、該他の装置に対応する該端末の設定対象測定ギャップの周波数点と共に、該第１アクセスネットワーク機器又は該他の装置に対応する通信システムに属する。
【０１０８】
例えば、端末がアクセスネットワーク機器Ａ及びアクセスネットワーク機器Ｂと接続を確立しており、アクセスネットワーク機器Ａはある周波数点ｆ１を測定するように端末を設定しようとし、アクセスネットワーク機器Ａはある周波数点ｆ２を測定するように端末を設定しようとし、この２つの周波数点がアクセスネットワーク機器Ａ及びアクセスネットワーク機器Ｂのサービス周波数点に属しないが、いずれもアクセスネットワーク機器Ａ又はアクセスネットワーク機器Ｂの通信システムに属する。端末に測定ギャップを設定する必要がある場合、アクセスネットワーク機器Ａ及びアクセスネットワーク機器Ｂはどのアクセスネットワーク機器によって測定ギャップを設定するかを交渉し、又は、所定のプロトコルに従ってどのアクセスネットワーク機器が測定ギャップを設定するかを確定することができる。
【０１０９】
条件３
該第１アクセスネットワーク機器に対応する該端末の設定対象測定ギャップの周波数点及び該他の装置に対応する該端末の設定対象測定ギャップの周波数点が異なる周波数点であり、該第１アクセスネットワーク機器に対応する該端末の設定対象測定ギャップの周波数点及び該他の装置に対応する該端末の設定対象測定ギャップの周波数点が該第１アクセスネットワーク機器及び該他の装置のサービス周波数点に属さず、且つ該第１アクセスネットワーク機器に対応する該端末の設定対象測定ギャップの周波数点及び該他の装置に対応する該端末の設定対象測定ギャップの周波数点がそれぞれ該第１アクセスネットワーク機器及び該他の装置に対応する通信システムと異なるシステムに属する。
【０１１０】
例えば、端末がアクセスネットワーク機器Ａ及びアクセスネットワーク機器Ｂと接続を確立しており、アクセスネットワーク機器Ａはある周波数点ｆ１を測定するように端末を設定し、アクセスネットワーク機器Ａはある周波数点ｆ２を測定するように端末を設定し、この２つの周波数点がアクセスネットワーク機器Ａ及びアクセスネットワーク機器Ｂのサービス周波数点に属さず、この２つの周波数点がそれぞれ異なる通信システムに属する。測定ギャップを設定する必要がある場合、アクセスネットワーク機器Ａ及びアクセスネットワーク機器Ｂはどのアクセスネットワーク機器が測定ギャップを設定するかを交渉し、又は、所定のプロトコルに従ってどのアクセスネットワーク機器が測定ギャップを設定するかを確定することができる。
【０１１１】
他の可能な実現方式では、端末と同時に接続を確立する少なくとも２つのアクセスネットワーク機器に対応する該端末の設定対象測定ギャップの周波数点が一定の条件を満たす場合、該少なくとも２つのアクセスネットワーク機器がいずれも端末に測定ギャップを設定しない場合もある。具体的に、少なくとも２つのアクセスネットワーク機器のうちの第１アクセスネットワーク機器を例とし、第２所定の条件が満たされる場合、該第１アクセスネットワーク機器が該測定ギャップ設定情報を生成しないことを確定する。
【０１１２】
該第２所定の条件は、該他の装置に対応する該端末の設定対象測定ギャップの周波数点が該第１アクセスネットワーク機器のサービス周波数点であり、又は、該第１アクセスネットワーク機器に対応する該端末の設定対象測定ギャップの周波数点が該他の装置のサービス周波数点であることを含む。
【０１１３】
例えば、端末がアクセスネットワーク機器Ａ及びアクセスネットワーク機器Ｂと接続を確立しており、アクセスネットワーク機器Ａは端末がある周波数点ｆ１を測定するように設定し、この周波数点がアクセスネットワーク機器Ｂのサービス周波数点に属し、アクセスネットワーク機器Ａ及びアクセスネットワーク機器Ｂは端末に測定ギャップを設定する必要がないと交渉できる。
【０１１４】
他の可能な実現方式では、端末に同時に接続される上記少なくとも２つのアクセスネットワーク機器が設定機器を確定することに失敗した場合、該少なくとも２つのアクセスネットワーク機器はそれぞれ測定ギャップ設定情報を生成して、生成された測定ギャップ設定情報を端末に送信することができる。
【０１１５】
他の可能な実現方式では、端末が少なくとも２つのアクセスネットワーク機器と接続を確立した後、端末は少なくとも２つのアクセスネットワーク機器のうちの全部又は一部の機器が送信した測定ギャップ設定情報を受信した場合、端末はその中から保持する測定ギャップ設定情報を確定することができる。
【０１１６】
図５には本発明の実施例に係る測定ギャップの設定方法のフローチャートを示す。本実施例は該測定ギャップの設定方法が図１に示される移動通信システムに適用され、少なくとも２つのアクセスネットワーク機器が所定のルールに従って端末の測定ギャップを設定する場合を例として説明する。該方法は以下を含む。
【０１１７】
ステップ５０１、端末は、少なくとも２つのアクセスネットワーク機器のうちの全部又は一部の機器がそれぞれ送信した測定ギャップ設定情報を受信する。
【０１１８】
該少なくとも２つのアクセスネットワーク機器が該端末と同時に接続を確立し、該測定ギャップ設定情報が該端末の測定ギャップを設定することに用いられ、該測定ギャップは該端末が現在の動作周波数点以外の他の周波数点において信号測定を行う時間帯を示すことに用いられる。
【０１１９】
端末に同時に接続される少なくとも２つのアクセスネットワーク機器が設定機器を確定することに失敗した場合、該少なくとも２つのアクセスネットワーク機器はそれぞれ測定ギャップ設定情報を生成して、生成された測定ギャップ設定情報を端末に送信することができ、この時、端末が異周波数又は異方式測定を行う回数又は周波数を減少させるために、端末は受信された測定ギャップ設定情報から保持すべき一部の測定ギャップ設定情報を確定することができ、残りの測定ギャップ設定情報を廃棄してもよい。
【０１２０】
又は、上記少なくとも２つのアクセスネットワーク機器のうちの端末に測定ギャップを設定する設定機器の数が２つ又は２つ以上である場合、少なくとも２つのアクセスネットワーク機器が設定機器を確定することに成功しても、端末が２つ又は２つ以上の測定ギャップ設定情報を受信した可能性もあり、この時、端末が異周波数又は異方式測定を行う回数又は周波数を更に減少させるために、端末は受信された測定ギャップ設定情報から保持すべき一部の測定ギャップ設定情報を確定することもでき、残りの測定ギャップ設定情報を廃棄してもよい。
【０１２１】
又は、端末が１つのみのアクセスネットワーク機器から送信された測定ギャップ設定情報を受信しても、端末が該測定ギャップ設定情報に基づいて異周波数又は異方式測定を行う必要がない場合、この時、端末が該測定ギャップ設定情報を廃棄することを確定し、つまり、この時、保持する測定ギャップ設定情報の数が０であることを確定できる。
【０１２２】
ステップ５０２、端末は、該少なくとも２つのアクセスネットワーク機器がそれぞれ送信した測定ギャップ設定情報から、保持する測定ギャップ設定情報を確定する。
【０１２３】
好ましくは、該端末が該少なくとも２つのアクセスネットワーク機器のうちのプライマリー接続装置により送信された測定ギャップ設定情報を該保持する測定ギャップ設定情報として確定し、又は、該端末が該少なくとも２つのアクセスネットワーク機器のうちの該端末に測定ギャップを設定する回数の最も多いアクセスネットワーク機器から送信された測定ギャップ設定情報を該保持する測定ギャップ設定情報として確定する。
【０１２４】
ステップ５０３、端末は、該保持する測定ギャップ設定情報に基づき、現在の動作周波数点以外の他の周波数点において信号測定を行う。
【０１２５】
上記に記載されているように、本発明の実施例に示される方法において、端末が少なくとも２つのアクセスネットワーク機器と同時に接続を確立する場合、端末は該少なくとも２つのアクセスネットワーク機器のうちの全部又は一部から送信された測定ギャップ設定情報を受信した後、その中から保持する測定ギャップ設定情報を確定して、保持する測定ギャップ設定情報のみに基づいて測定することができ、それにより端末が異周波数又は異方式測定を行う回数又は周波数を減少させ、端末が頻繁にデータ伝送を中断して他の周波数点に切り替えて信号測定を行うことを避け、端末のデータ送受信効率を向上させる。
【０１２６】
以下は本発明の実施例の装置実施例であり、装置実施例における未説明の部分は上記方法実施例に開示される技術的詳細を参照してもよい。
【０１２７】
図６には本発明の一実施例に係る測定ギャップの設定機器の構造模式図を示す。該測定ギャップの設定機器はソフトウェア、ハードウェア及びそれらの組み合わせでアクセスネットワーク機器の全部又は一部の機器として実現されてもよい。該測定ギャップの設定機器は生成ユニット６０１及び送信ユニット６０２を備え、
生成ユニット６０１は上記図２〜図４における第１アクセスネットワーク機器の実行する測定ギャップ設定情報を生成することについてのステップを実行することに用いられ、
送信ユニット６０２は上記図２〜図４における第１アクセスネットワーク機器の実行する測定ギャップ設定情報を送信することについてのステップを実行することに用いられ、
好ましくは、該測定ギャップの設定機器は更に交渉ユニット６０３、第１確定ユニット６０４及び第２確定ユニット６０５を備えてもよく、
該交渉ユニット６０３は上記図２〜図４における第１アクセスネットワーク機器の実行する第１アクセスネットワーク機器が設定機器であるかどうかを交渉確定することについてのステップを実行することに用いられ、
該第１確定ユニット６０４は上記図２〜図４における第１アクセスネットワーク機器の実行する所定のプロトコルに従って第１アクセスネットワーク機器が設定機器であるかどうかを確定することについてのステップを実行することに用いられ、
該第２確定ユニット６０５は上記図２〜図４における第１アクセスネットワーク機器の実行する測定ギャップ設定情報を生成しないことを確定することについてのステップを実行することに用いられる。
【０１２８】
図７には本発明の一実施例に係る測定ギャップの設定機器の構造模式図を示す。該測定ギャップの設定機器はソフトウェア、ハードウェア及びそれらの組み合わせで端末の全部又は一部として実現されてもよい。該測定ギャップの設定機器は受信ユニット７０１及び確定ユニット７０２を備え、
受信ユニット７０１は上記図２〜図５における端末の実行する測定ギャップ設定情報を受信することについてのステップを実行することに用いられ、
確定ユニット７０２は上記図２〜図５における端末の実行する保持する測定ギャップ設定情報を確定することについてのステップを実行することに用いられ、
好ましくは、該測定ギャップの設定機器は更に測定ユニット７０３を備えてもよく、
測定ユニット７０３は上記図２〜図５における端末の実行する現在の動作周波数点以外の他の周波数点において信号測定を行うことについてのステップを実行することに用いられる。
【０１２９】
図８には本発明の例示的な実施例に係るアクセスネットワーク機器の構造模式図を示し、該アクセスネットワーク機器はプロセッサ８１、送受信機８２、メモリ８４及びバス８５を備える。
【０１３０】
プロセッサ８１は１つ又は１つ以上の処理コアを備え、プロセッサ８１がソフトウェアプログラム及びモジュールを実行することにより、様々な機能アプリケーション及び情報処理を実行する。
【０１３１】
送受信機８２が１つの通信コンポーネントとして実現されてもよく、該通信コンポーネントが１つの通信チップであってもよく、通信チップには情報を変調及び／又は復調して無線信号によって該情報を受信又は送信するための受信モジュール、送信モジュール及びモデムモジュール等が含まれてもよい。
【０１３２】
メモリ８４がバス８５を介してプロセッサ８１に接続される。
【０１３３】
メモリ８４がソフトウェアプログラム及びモジュールを記憶することに用いられてもよい。
【０１３４】
メモリ８４に少なくとも１つの機能が記憶されてもよく、前記アプリケーションプログラムモジュール８６は生成モジュール８６１及び送信モジュール８６２を備えてもよく、好ましくは、該アプリケーションプログラムモジュール８６は更に交渉モジュール８６３、第１確定モジュール８６４及び第２確定モジュール８６５を備えてもよい。
【０１３５】
プロセッサ８１が生成モジュール８６１を実行することにより上記各方法実施例における測定ギャップ設定情報を生成することについてのステップの機能を実現することに用いられ、プロセッサ８１が送信モジュール８６２を実行することにより上記各方法実施例における測定ギャップ設定情報を送信することについてのステップの機能を実現することに用いられ、プロセッサ８１が交渉モジュール８６３を実行することにより上記各方法実施例における第１アクセスネットワーク機器が設定機器であるかどうかを交渉確定することについてのステップの機能を実現することに用いられ、プロセッサ８１が第１確定モジュール８６４を実行することにより上記各方法実施例における所定のプロトコルに従って第１アクセスネットワーク機器が設定機器であるかどうかを確定することについてのステップの機能を実現することに用いられ、プロセッサ８１が第２確定モジュール８６５を実行することにより上記各方法実施例における測定ギャップ設定情報を生成しないことを確定することについてのステップの機能を実現することに用いられる。
【０１３６】
なお、メモリ８４はいかなるタイプの揮発性又は不揮発性記憶装置、例えばスタティックランダムアクセスメモリ（ＳＲＡＭ）、電気的消去可能プログラム可能読み出し専用メモリ（ＥＥＰＲＯＭ）、消去可能プログラム可能読み出し専用メモリ（ＥＰＲＯＭ）、プログラム可能読み出し専用メモリ（ＰＲＯＭ）、読み出し専用メモリ（ＲＯＭ）、磁気メモリ、フラッシュメモリ、磁気ディスク又は光ディスク又はそれらの組み合わせで実現されてもよい。
【０１３７】
図９には本発明の例示的な実施例に係る端末の構造模式図を示し、該端末はプロセッサ９１、送受信機９２、メモリ９４及びバス９５を備える。
【０１３８】
プロセッサ９１は１つ又は１つ以上の処理コアを備え、プロセッサ９１がソフトウェアプログラム及びモジュールを実行することにより、様々な機能アプリケーション及び情報処理を実行する。
【０１３９】
送受信機９２が１つの通信コンポーネントとして実現されてもよく、該通信コンポーネントが１つの通信チップであってもよく、通信チップには情報を変調及び／又は復調して無線信号によって該情報を受信又は送信するための受信モジュール、送信モジュール及びモデムモジュール等が含まれてもよい。
【０１４０】
メモリ９４がバス９５を介してプロセッサ９１に接続される。
【０１４１】
メモリ９４がソフトウェアプログラム及びモジュールを記憶することに用いられてもよい。
【０１４２】
メモリ９４に少なくとも１つの機能が記憶されてもよく、前記アプリケーションプログラムモジュール９６は受信モジュール９６１及び確定モジュール９６２を備えてもよく、好ましくは、該アプリケーションプログラムモジュール９６は更に測定モジュール９６３を備えてもよい。
【０１４３】
プロセッサ９１が受信モジュール９６１を実行することにより上記各方法実施例における測定ギャップ設定情報を受信することについてのステップの機能を実現することに用いられ、プロセッサ９１が確定モジュール９６２を実行することにより上記各方法実施例における保持する測定ギャップ設定情報を確定することについてのステップの機能を実現することに用いられ、プロセッサ９１が測定モジュール９６３を実行することにより上記各方法実施例における現在の動作周波数点以外の他の周波数点において信号測定を行うことについてのステップの機能を実現することに用いられる。
【０１４４】
なお、メモリ９４はいかなるタイプの揮発性又は不揮発性記憶装置、例えばスタティックランダムアクセスメモリ（ＳＲＡＭ）、電気的消去可能プログラム可能読み出し専用メモリ（ＥＥＰＲＯＭ）、消去可能プログラム可能読み出し専用メモリ（ＥＰＲＯＭ）、プログラム可能読み出し専用メモリ（ＰＲＯＭ）、読み出し専用メモリ（ＲＯＭ）、磁気メモリ、フラッシュメモリ、磁気ディスク又は光ディスク又はそれらの組み合わせで実現されてもよい。
【０１４５】
本発明の実施例は更に測定ギャップの設定システムを提供し、該測定ギャップの設定システムは端末及びアクセスネットワーク機器を備えてもよい。
【０１４６】
該アクセスネットワーク機器は上記図６に係る測定ギャップの設定機器を備え、
該端末は上記図７に係る測定ギャップの設定機器を含んでもよい。
【０１４７】
本発明の実施例は更に測定ギャップの設定システムを提供し、該測定ギャップの設定システムは端末及びアクセスネットワーク機器を備えてもよい。
【０１４８】
該アクセスネットワーク機器が上記図８に係るアクセスネットワーク機器であってもよく、
該端末は上記図９に係る端末を含んでもよい。
【０１４９】
本発明の実施例は更にコンピュータ可読記憶媒体を提供し、コンピュータプログラム（命令）が記憶され、該プログラム（命令）がプロセッサにより実行されるとき、上記図２〜図５のいずれか１つに記載の実施例におけるアクセスネットワーク機器の実行するステップを実現することができ、又は、該プログラム（命令）がプロセッサにより実行されるとき、上記図２〜図５のいずれか１つに記載の実施例における端末の実行するステップを実現することができる。
【０１５０】
当業者であれば、上記１つ又は複数の例では、本発明の実施例に説明される機能がハードウェア、ソフトウェア、ファームウェア又はそれらの任意の組み合わせで実現されてもよいと理解される。ソフトウェアで実現されるとき、これらの機能をコンピュータ可読媒体に記憶し又はコンピュータ可読媒体における１つ又は複数の命令又はコードとして伝送することができる。コンピュータ可読媒体はコンピュータ記憶媒体及び通信媒体を含み、通信媒体は一箇所から他の箇所へコンピュータプログラムを伝送する任意の媒体を含む。記憶媒体が汎用又は専用コンピュータにアクセスできる任意の利用可能媒体であってもよい。
【０１５１】
以上の説明は本発明の好適な実施例であって、本発明を制限するためのものではなく、本発明の趣旨及び原則内に行ったいかなる修正、等価置換、改良等は、いずれも本発明の保護範囲内に含まれるべきである。
【図１】
2020528678.tif 000003
【図２】
2020528678.tif 000004
【図３】
2020528678.tif 000005
【図４】
2020528678.tif 000006
【図５】
2020528678.tif 000007
【図６】
2020528678.tif 000008
【図７】
2020528678.tif 000009
【図８】
2020528678.tif 000010
【図９】
2020528678.tif 000011
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
測定ギャップの設定方法であって、少なくとも２つのアクセスネットワーク機器のうちの第１アクセスネットワーク機器に適用され、前記少なくとも２つのアクセスネットワーク機器が端末と同時に接続を確立し、前記方法は、
前記第１アクセスネットワーク機器が前記少なくとも２つのアクセスネットワーク機器のうちの設定機器である場合、前記第１アクセスネットワーク機器が測定ギャップ設定情報を生成し、前記設定機器が、前記少なくとも２つのアクセスネットワーク機器のうちの前記端末に測定ギャップを設定する一部の機器であり、前記測定ギャップが、前記端末が現在の動作周波数点以外の他の周波数点において信号測定を行う時間帯を示すことに用いられることと、
前記第１アクセスネットワーク機器が、前記端末へ前記測定ギャップ設定情報を送信することと、を含むことを特徴とする、前記測定ギャップの設定方法。
【請求項２】
前記方法は、更に、
前記第１アクセスネットワーク機器が、前記少なくとも２つのアクセスネットワーク機器のうちの前記第１アクセスネットワーク機器以外の他の装置とネットワーク交渉を行うことにより、前記第１アクセスネットワーク機器が前記設定機器であるかどうかを確定することを含むことを特徴とする
請求項１に記載の方法。
【請求項３】
前記第１アクセスネットワーク機器が、前記少なくとも２つのアクセスネットワーク機器のうちの前記第１アクセスネットワーク機器以外の他の装置とネットワーク交渉を行うことにより、前記第１アクセスネットワーク機器が前記設定機器であるかどうかを確定することは、
前記第１アクセスネットワーク機器が前記他の装置から送信された設定交渉情報を受信することであって、前記設定交渉情報が、前記端末に測定ギャップを設定するアクセスポイント装置を交渉確定することに用いられることと、
前記第１アクセスネットワーク機器が、前記設定交渉情報に基づき、前記第１アクセスネットワーク機器が前記設定機器であるかどうかを確定することと、を含むことを特徴とする
請求項２に記載の方法。
【請求項４】
前記設定交渉情報には、前記他の装置に対応する前記端末の設定対象測定ギャップの周波数点が含まれることを特徴とする
請求項３に記載の方法。
【請求項５】
前記設定交渉情報には更に設定指示が含まれ、前記設定指示が前記他の装置が、前記端末に測定ギャップを設定することを決定したかどうかを示すことに用いられることを特徴とする
請求項３に記載の方法。
【請求項６】
前記方法は、更に、
前記第１アクセスネットワーク機器が、所定のプロトコルに従って、前記第１アクセスネットワーク機器が前記設定機器であるかどうかを確定することを含むことを特徴とする
請求項１に記載の方法。
【請求項７】
前記第１アクセスネットワーク機器が測定ギャップ設定情報を生成することは、
第１所定の条件が満たされる場合、前記第１アクセスネットワーク機器が前記測定ギャップ設定情報を生成することを含み、
前記第１所定の条件が、
前記第１アクセスネットワーク機器に対応する前記端末の設定対象測定ギャップの周波数点及び、前記少なくとも２つのアクセスネットワーク機器のうちの前記第１アクセスネットワーク機器以外の他の装置に対応する前記端末の設定対象測定ギャップの周波数点が同じ周波数点であって、前記周波数点が前記第１アクセスネットワーク機器及び前記他の装置のサービス周波数点に属さず、
又は、前記第１アクセスネットワーク機器に対応する前記端末の設定対象測定ギャップの周波数点及び、前記少なくとも２つのアクセスネットワーク機器のうちの前記第１アクセスネットワーク機器以外の他の装置に対応する前記端末の設定対象測定ギャップの周波数点が、異なる周波数点であり、前記第１アクセスネットワーク機器に対応する前記端末の設定対象測定ギャップの周波数点及び前記他の装置に対応する前記端末の設定対象測定ギャップの周波数点が、前記第１アクセスネットワーク機器及び前記他の装置のサービス周波数点に属さず、且つ前記第１アクセスネットワーク機器に対応する前記端末の設定対象測定ギャップの周波数点が、前記他の装置に対応する前記端末の設定対象測定ギャップの周波数点とともに、前記第１アクセスネットワーク機器又は前記他の装置に対応する通信システムに属し、
又は、前記第１アクセスネットワーク機器に対応する前記端末の設定対象測定ギャップの周波数点及び、前記少なくとも２つのアクセスネットワーク機器のうちの前記第１アクセスネットワーク機器以外の他の装置に対応する前記端末の設定対象測定ギャップの周波数点が、異なる周波数点であり、前記第１アクセスネットワーク機器に対応する前記端末の設定対象測定ギャップの周波数点及び前記他の装置に対応する前記端末の設定対象測定ギャップの周波数点が、前記第１アクセスネットワーク機器及び前記他の装置のサービス周波数点に属さず、且つ前記第１アクセスネットワーク機器に対応する前記端末の設定対象測定ギャップの周波数点及び前記他の装置に対応する前記端末の設定対象測定ギャップの周波数点がそれぞれ前記第１アクセスネットワーク機器及び前記他の装置に対応する通信システムと異なるシステムに属することを含むことを特徴とする
請求項１に記載の方法。
【請求項８】
前記方法は、更に、
第２所定の条件が満たされる場合、前記第１アクセスネットワーク機器が前記測定ギャップ設定情報を生成しないことを確定することを含み、
前記第２所定の条件が、
前記少なくとも２つのアクセスネットワーク機器のうちの前記第１アクセスネットワーク機器以外の他の装置に対応する前記端末の設定対象測定ギャップの周波数点が前記第１アクセスネットワーク機器のサービス周波数点であること、
又は、
前記第１アクセスネットワーク機器に対応する前記端末の設定対象測定ギャップの周波数点が、前記少なくとも２つのアクセスネットワーク機器のうちの前記第１アクセスネットワーク機器以外の他の装置のサービス周波数点であることを含むことを特徴とする
請求項１に記載の方法。
【請求項９】
前記測定ギャップ設定情報は、
測定周波数点、測定周期、及び前記端末が前記他の周波数点において信号測定を行う時間帯の前記測定周期における時間領域位置を含むことを特徴とする
請求項１に記載の方法。
【請求項１０】
前記少なくとも２つのアクセスネットワーク機器がそれぞれ異なる通信システムに属し、
又は、
前記少なくとも２つのアクセスネットワーク機器が同じ通信システムに属することを特徴とする
請求項１〜９のいずれか１項に記載の方法。
【請求項１１】
測定ギャップの設定方法であって、
端末が、少なくとも２つのアクセスネットワーク機器のうちの全部又は一部の機器がそれぞれ送信した測定ギャップ設定情報を受信し、前記少なくとも２つのアクセスネットワーク機器が前記端末と同時に接続を確立し、前記測定ギャップ設定情報が前記端末の測定ギャップを設定することに用いられ、前記測定ギャップが、前記端末が現在の動作周波数点以外の他の周波数点において信号測定を行う時間帯を示すことに用いられることと、
前記端末が、前記少なくとも２つのアクセスネットワーク機器のうちのすべて又は一部がそれぞれ送信した測定ギャップ設定情報から、保持する測定ギャップ設定情報を確定することと、を含むことを特徴とする、前記測定ギャップの設定方法。
【請求項１２】
前記方法は、更に、
前記端末が、前記保持する測定ギャップ設定情報に基づき、現在の動作周波数点以外の他の周波数点において信号測定を行うことを含むことを特徴とする
請求項１１に記載の方法。
【請求項１３】
前記端末が、前記少なくとも２つのアクセスネットワーク機器うちのすべて又は一部がそれぞれ送信した測定ギャップ設定情報から、保持する測定ギャップ設定情報を確定することは、
前記端末が、前記少なくとも２つのアクセスネットワーク機器のうちのプライマリー接続装置により送信された測定ギャップ設定情報を前記保持する測定ギャップ設定情報として確定し、
又は、
前記端末が、前記少なくとも２つのアクセスネットワーク機器のうちの前記端末に測定ギャップを設定する回数の最も多いアクセスネットワーク機器により送信された測定ギャップ設定情報を前記保持する測定ギャップ設定情報として確定することを含むことを特徴とする
請求項１１に記載の方法。
【請求項１４】
前記測定ギャップ設定情報は、
測定周波数点、測定周期、及び前記端末が前記他の周波数点において信号測定を行う時間帯の前記測定周期における時間領域位置を含むことを特徴とする
請求項１１〜１３のいずれか１項に記載の方法。
【請求項１５】
前記少なくとも２つのアクセスネットワーク機器がそれぞれ異なる通信システムに属し、
又は、
前記少なくとも２つのアクセスネットワーク機器が同じ通信システムに属することを特徴とする
請求項１１〜１３のいずれか１項に記載の方法。
【請求項１６】
アクセスネットワーク機器であって、
前記アクセスネットワーク機器が少なくとも２つのアクセスネットワーク機器のうちの第１アクセスネットワーク機器であり、前記少なくとも２つのアクセスネットワーク機器が端末と同時に接続を確立し、
前記請求項１〜１０のいずれか１項に記載の測定ギャップの設定方法を実行するように構成されることを特徴とする、前記アクセスネットワーク機器。
【請求項１７】
端末であって、
請求項１１〜１５のいずれか１項に記載の測定ギャップの設定方法を実行するように構成されることを特徴とする、前記端末。
【国際調査報告】
2020528678.tif 000012
2020528678.tif 000013
2020528678.tif 000014
2020528678.tif 000015